(57)【特許請求の範囲】
【請求項１】
タオル本体と、タオル本体の上端部の右端又は左端の、内側及び／又は外側に固設された柱状部を有する突起物とを備える滑り止め付タオルであって、前記タオル本体の前記突起物を固設した側が外側になるように前記タオル本体を身体に巻きつけ、前記外側となったタオル本体の前記突起物を固設した部分を、前記内側のタオル本体の上端を飛び越して身体側に折り返して、締め付けられたタオル本体による内側方向への力と締め付けられた身体による外側方向への力により前記突起物が挟圧されることを特徴とする滑り止め付タオル。
【発明の詳細な説明】
【技術分野】
【０００１】
本発明は、タオルの布地の種類にかかわらず、脱衣場と浴場との間の移動時、脱衣場、エステサロン、サウナ風呂又は水泳時の着替え等において、簡単に身体を覆い隠すことができ、ずれ落ちにくい滑り止め付タオルに関するものである。
【背景技術】
【０００２】
身体を覆い隠すことを目的とするタオルとしては、例えば特許文献１に、通常普及している長方形のタオル及びバスタオルを凹型にしたタオルが開示されている。
【０００３】
また、特許文献２に、長方形のタオル主体の短辺部両側に長辺方向に向かう紐片を設けた浴用タオルが開示されている。
【先行技術文献】
【特許文献】
【０００４】
【特許文献１】実開平５−４９８９号公報
【特許文献２】実登第３０３７０６２号公報
【発明の概要】
【発明が解決しようとする課題】
【０００５】
特許文献１に記載の凹型タオルは、考案の詳細な説明に記載されているように、「風呂上りにバスタオルを腰に巻いて」及び「髪や身体を拭くという本来の機能を損なうことなく」との記載から、水分を拭き取ることを目的としており、水分を拭き取りやすい形態がパイル状であって厚手の布地からなる乾いたバスタオルを対象にした、身体に巻き付けるタオルの考案である。しかし、特許文献１に記載の凹型タオルの布地として、泡立ちがよくて身体を洗うのに適しているポリエステル系繊維、ポリアミド系繊維又はレーヨンなどの合成繊維のように表面がややつるつるとした薄手の布地で縫製された凹型タオルの場合には身体に巻いたときにずれ落ちやすいという問題があった。
【０００６】
また、バスタオルの場合であっても濡れたバスタオルを手で絞って身体に巻き付けた場合に、濡れたバスタオル自体の重さでずれ落ちやすくなるという問題もあった。
【０００７】
さらに、両端部の上側の四角形状片は縦方向の長さが短いとずれやすく長い方がずれにくいことから長さを長くしなければならないが、すると、該四角形状片を身体側に折り返してしっかりと深く挟入させる作業において、タオルを身体にしっかりと巻き付けることによってタオルと身体とが隙間なく密着している箇所に、１枚のタオル布地からなる軟らかい前記四角形状片をしっかりと深く挟入させるので、強く密着した隙間に軟らかい布地を挟入することになり手間がかかるという問題があった。
【０００８】
特許文献２に記載の紐付タオルの場合は、身体に巻き付けるときにタオルの両端に取り付けた左右の紐同士を結ぶため、身体の胸周りや腰周りの長さとタオルの長尺側の長さが一致している場合は肌をすべて覆うことができるが、身体の胸周りや腰周りの長さがタオルの長尺側の長さより長い場合には肌の一部が露出してしまうし、身体の胸周りや腰周りの長さがタオルの長尺側の長さより短い場合は身体とぶかぶか状態になってタオルがすぐにずれ落ちるという問題があった。
【０００９】
また、紐を結ぶという細かい作業をするので年配者などにとっては煩しさを感じるという問題があった。さらに、綿１００％からなるタオルであると、該タオルの紐片を結ぶときや解くときに、左右の紐体同士間で摩擦が生じて滑りにくいため、スムースに結びにくく解きにくいという問題があった。
【００１０】
以上のように、浴場から脱衣場との間の移動時、サウナ風呂、エステサロンなどにおいて、公共の場で裸になることに抵抗があり、胸から臀部までを完全に覆いたいという要望を持っている女性に、又は腰から臀部までを完全に覆いたいという要望を持っている男性にとっては、濡れたタオルを手で絞った後の厚手の布地のタオルの場合や薄手の布地のタオルを使用した場合において、簡単に身体を覆い隠すことができて、かつずれ落ちにくいタオルがないという問題があった。
【００１１】
本発明はこうした問題に鑑み創案されたもので、薄い布地のタオルであっても、濡れたタオルを手で絞った後のタオルであっても、容易に身体に密着させて身体を覆い隠すことができ、かつ身体からずれ落ちにくいタオルを提供することを課題とする。
【課題を解決するための手段】
【００１２】
本発明において、「内側」とは身体に近づく側を意味し、「外側」とは身体から離れる側を意味し、「柱状部を有する」の「柱状部」とは断面形状が円形、四角形、多角形などの上下方向で同一の形状及び大きさを有する柱体の形態、上部が半球形で下部が柱体からなるドーム型の形態、縦断面が台形状の柱体の形態など、外観にかかわらず柱体の形状を含有する形態を意味する。
【００１３】
請求項１に記載の滑り止め付タオル１は、タオル本体２と、タオル本体２の上端部の右端又は左端の、内側及び／又は外側に固設された柱状部を有する突起物３とを備える滑り止め付タオル１であって、前記タオル本体２の前記突起物３を固設した側が外側Ｓになるように前記タオル本体２を身体に巻きつけ、前記外側Ｓとなったタオル本体２の前記突起物３を固設した部分を、前記内側Ｕのタオル本体２の上端を飛び越して身体４側に折り返して、締め付けられたタオル本体２による内側Ｕ方向への力と締め付けられた身体４による外側Ｓ方向への力により前記突起物３が挟圧されることを特徴とする。
【発明の効果】
【００１４】
請求項１に記載の滑り止め付タオル１は、滑り止め付タオル１を身体４にしっかりと締めることによって締め付けられたタオル本体２には外側Ｓから内側Ｕに働く力が生じ、かつ滑り止め付タオル１によって締め付けられた身体４の皮膚面が締め付けられていない状態に戻ろうとすることによって締め付けられた身体４には内側Ｕから外側Ｓに働く力が生じて、タオル本体２間に挟まれた突起物３、及び／又は、タオル本体２と身体４との間に挟まれた突起物３を挟圧により圧縮させ、かつ前記突起物３と接触するタオル本体２及び身体４を前記突起物３によって押圧させることによって、突起物３とタオル本体２との接触面、又は突起物３と身体４の皮膚との接触面において、滑り止め付タオル１が滑り落ちようとする運動を妨げようとする力である静止摩擦力を増大させる効果があり、これによって滑り止め付タオル１をより一層ずれ落ちにくくするという効果を奏する。したがって、滑り止め付タオル１を身体４に巻き付けたときの突起物３及び該突起物３と接するタオル本体２の範囲は、身体４に巻き付けた滑り止め付タオル１を解けないように押え止めする押止具のような効果を奏する。
【００１５】
また、身体４に巻きつけた後の外側Ｓのタオル本体２の裾を引っ張り下げたときには、密着したタオル本体２と身体４との間等に挟まれた突起物３の上端部にはタオル本体２の引っ張られている方向である水平方向より下方に引っ張られる力が働くが、身体４とタオル本体２との間に、及び／又は、内側Ｕと外側Ｓのタオル本体２との間に挟持され挟着状態に維持されている突起物３がタオル本体２のずれようとする力の抵抗体となって、滑り止め付タオル１はずれ落ちにくいという効果を奏する。
【００１６】
滑り止め付タオル１は、バスタオルのように木綿主体の厚手の布地、又は浴用タオルのようにポリエステル系繊維やポリアミド系繊維等の薄手の布地からなるタオルであっても、身体４を覆い隠すことができ、かつ身体４からずれ落ちにくいという効果を奏する。
【００１７】
滑り止め付タオル１は、タオルが乾いていても、湯水に浸した後に手で絞って濡れていても、身体４を覆い隠すことができ、かつ身体４からずれ落ちにくいという効果を奏する。
【００１８】
滑り止め付タオル１は、身体４に滑り止め付タオル１の一部が重なって二重になるように巻き付けるときに、身体４の周りの長さによって重なる長さを調整できることから、身体４がスリムな人の場合であってもタオル本体２を身体４に巻いてもぶかぶか状態にならないように身体４に密着させて巻き付けることができ、身体４がふくよかな人の場合であっても身体４の一部を露出させることなくタオル本体２を身体４に密着させて巻き付けることができる。したがって、身体４の胸周りや胴周りの大きさにかかわらず身体４に密着させて覆い隠すことができる。
【００１９】
身体４に巻いたときに外側Ｓにあるタオル本体２の上端部のうちの突起物３周囲に相当する部分を内側Ｕにあるタオル本体２の上端を飛び越して身体４側に折り返し、身体４に巻いたときに内側Ｕにあるタオル本体２の上端部を突起物３とは左右方向で反対方向に斜め上方に引っ張り上げることによって、タオル本体２を身体４の周りに強く締めることになるので、巻き付けた滑り止め付タオル１を迅速に容易に身体４にしっかりと固定化させることができるという効果を奏する。
【００２０】
前記突起物３が圧縮可能な柔軟性を有したり、身体４との接触面を平面化することにより、突起物３がタオル本体２の締め付けによる押圧によって身体４に当接しても痛さを感じにくいという効果を奏する。
【００２１】
滑り止め付タオル１を身体に巻き付けた後に突起物３を配設したタオル本体２の端部を身体４側とタオル本体２との間に挟入させるときは、突起物３に剛性を有させることによって垂直方向の上方から下方に向けて容易にワンタッチで嵌入させることができ、滑り止め付タオル１を身体から解くときは、突起物３の周辺を垂直方向に引っ張り上げることによって容易に滑り止め付タオル１を身体から解くことができる。
【００２２】
前記タオル本体２の上端部の右端又は左端に突起物３を内外側の両側又は片側に固設することにより、右利きの人であっても左利きの人であっても容易に突起物３を縫着した側の滑り止め付タオル１を折り返すことができるという効果を奏する。
【００２３】
したがって、例えば風呂場での使用をする場合においては、身体４の一部を滑り止め付タオル１で覆うことによって、乳房切除等の手術跡のある方、体型を気にする方、又はエチケットに意識のある方も温泉や銭湯で目立つ心配がなく普通浴場で使用する物で身体４を覆うことができるようになり公共の温泉や銭湯に行きやすくなるという効果を奏する。
【図面の簡単な説明】
【００２４】
【図１】本発明の滑り止め付タオルの正面概要図である。
【図２】本発明の滑り止め付タオルで突起物を内外側に固設させた形態の場合の左側面概要図である。
【図３】本発明の滑り止め付タオルで突起物を外側に固設させた形態の場合の左側面概要図である。
【図４】本発明の滑り止め付タオルを身体に巻きつけたときの説明図である。
【図５】図４におけるＡ部の拡大図である。
【図６】図５におけるＢ部の拡大図で、外側のタオル本体を身体側へ折り返す前の状態の説明図である。
【図７】図５におけるＢ部の拡大図で、外側のタオル本体を身体側へ折り返し内側のタオル本体を引張り上げた後の状態の説明図である。
【図８】図６におけるＣ―Ｃ断面の状態を示す説明図である。
【図９】図７におけるＤ―Ｄ断面の状態を示す説明図である。
【図１０】突起物が内外両側に固設された滑り止め付タオルで、図７におけるＥ―Ｅ断面の状態を示す説明図である。
【図１１】突起物が内側のみに固設された滑り止め付タオルで、図７におけるＥ―Ｅ断面の状態を示す説明図である。
【図１２】図７におけるＦ―Ｆ断面の状態を示す説明図である。
【図１３】身体に巻き付けた本発明の滑り止め付タオルの端部を引っ張り下げようとする、図７におけるＥ―Ｅ断面における説明図である。
【図１４】図１３における引っ張り下げるときに突起物が抵抗体となって滑り止め付タオルの引っ張り下げの動きを抑止させる説明図である。
【図１５】身体に巻き付けた突起物を設けないタオルの端部を引っ張り下げようとする場合の図１３と同じ位置の断面における説明図である。
【図１６】図１５におけるタオルが引っ張り下げられた結果を示す説明図である。
【図１７】柱状の突起物の説明図である。
【図１８】ドーム状の突起物の説明図である。
【図１９】身体巻き付け時の水平断面が台形状の突起物の説明図である。
【発明を実施するための形態】
【００２５】
本発明に係る滑り止め付タオル１は、図１乃至図３に示すように、タオル本体２と、タオル本体２の上端部の右端又は左端の、内側及び／又は外側に固設された柱状部を有する突起物３とを備えている。そして、タオル本体２の前記突起物３を固設した側が外側になるように前記タオル本体２を身体４に巻きつけ、前記外側Ｓとなったタオル本体２の前記突起物３を固設した部分を、前記内側Ｕのタオル本体２の上端を飛び越して身体４側に折り返して、さらに強く締め付けるときには前記飛び越された内側Ｕのタオル本体２の上端部の横方向の端部を前記突起物３が縫着された方向とは逆の方向に強く引っ張り上げる。これにより身体４から滑り止め付タオル１がずれ落ちにくくなる。
【００２６】
まず、タオル本体２について説明する。タオル本体２の大きさは、図４に示すように縦方向の長さが胸部から臀部までの身体４の周囲に巻き付けられる又は腰部から臀部周辺の身体４の周囲に巻き付けられる長さであって、横方向の長さが身体４の胸周り及び腰回りを一周り分プラス二重に重なる横方向の長さを少なくとも約１０ｃｍ以上となる長さであって、前記タオル本体２の形態は四角形状である。
【００２７】
タオル本体２の布地は、木綿等の植物等から得られる天然繊維からなる布地、ナイロン等の化学繊維からなる布地、少なくともポリエステル系繊維、ポリアミド系繊維、レーヨン、絹及び麻の中から１つ以上の繊維からなる、又は前記繊維の組み合わせの繊維を４０％以上並びに綿６０％未満の繊維からなる布地、又は少なくともポリエステル系繊維、ポリアミド系繊維、レーヨン、絹及び麻の中から１つ以上の繊維と綿からなる繊維との比が前記ポリエステル系繊維等からの繊維４０％以上前記綿６０％未満の布地、好ましくは前記ポリエステル系繊維等からの繊維５０％以上前記綿５０％未満の布地などの内、いずれの繊維であってもよい。
【００２８】
タオル本体２が、ポリエステル系繊維、ポリアミド系繊維、レーヨン、絹及び麻なる繊維を含んでいるときは、石鹸の泡立ち性の良さ、水切れ性の良さ、手での絞りやすさ等の良さを有する。
【００２９】
したがって、一般に市場に流通している薄手の浴用タオルやフェイスタオルでは身体４の周りを一周させて覆い隠すことはできないが、本発明の滑り止め付タオル１は身体４の周りを一周させて覆い隠すことができ、一般に市場に流通している厚手のバスタオルでは石鹸をつけて身体４を洗うことは極めて困難であるが、本発明の滑り止め付タオル１は例えばポリアミド系繊維から縫製されたときはバスタオルの大きさを有しながら石鹸をつけて洗うことができるという効果を奏する。
【００３０】
次に、突起物３について説明する。突起物３は、図１に示すようにタオル本体２の上端部の右端又は左端の、図３に示すように内側又は外側の一方の側又は図２に示すように両側に縫製や接着などによって固設されている。
【００３１】
突起物３の形態は、柱状部を有する形態であって、図１７に示すように断面形状が円形、四角形、多角形などの上下方向で同一の形状及び大きさを有する柱体の形態、図１８に示すように上部が半球形で下部が柱体からなるドーム型の形態、図１９に示すように縦断面が台形状の柱体の形態など、外観にかかわらず柱体の形状を含有する形態であればよい。そして、前記突起物３の先端部の形態は平面状が好ましいが、先端部が平面状でない形態の場合は、突起物３の材質として、タオル本体２及び身体４からの押圧による挟圧によって前記先端部が凹んで前記タオル本体２に密着するような柔らかさを有する材質を選択する。いずれにしても挟圧によって前記先端部が平面状になる材質を選択すればいいので、突起物３の形態は柱体部を有する形態であればよい。
【００３２】
次に、突起物３の大きさは高さと底面の大きさで設定する。高さは０．５〜３ｃｍの範囲内で任意に設定すればよく、好ましくは、突起物３の高さを１〜２ｃｍの範囲内で設定するのがよい。
【００３３】
高さが０．５ｃｍ未満になると挟圧され圧縮されても接触抵抗が低く静止摩擦力が不足して滑り止め付タオル１がずれ落ちやすく、高さが３ｃｍ超になると挟圧されたときに該突起物３が斜めになり十分な接触抵抗が得られないことから滑り止め付タオル１がずれ落ちやすい。
【００３４】
また、前記突起物３が前記タオル本体２と接する固設部分の大きさは、すなわち前記柱体の形状を含有する形態の底面の大きさは、縦横の長さとしてそれぞれ２〜１０ｃｍの範囲で任意に設定すればよく、好ましくは２〜５ｃｍの範囲で設定するのがよい。縦横の長さがそれぞれ２ｃｍ未満になると突起物３が細すぎて十分な静止摩擦抵抗が得られないし、縦横の長さがそれぞれ１０ｃｍ超になると突起物３が存するタオル本体２の部分を折り返すのに大きすぎて折り返しにくいからである。
【００３５】
前記突起物３の高さと底面の大きさとの組み合わせは、前記高さと底面の大きさの組み合わせの範囲内であればいずれかの設定された組み合わせでも、突起物３を有しないタオルに比較して接触抵抗を高め、静止摩擦力を高めることができる。好ましくは、前記高さが高い場合は前記底面積の大小にかかわらず高い接触抵抗を得られるが、前記高さが低い場合は前記底面積を大きく設定するようにし広い範囲で高い接触抵抗を得るように設定する。
【００３６】
そして、前記突起物３の材質は、身体４に巻きつけ上端部を身体４側に折り返したときの押圧によって身体が痛さを感じにくい程度の柔らかさを有しながら、突起物３単体を空間中で水平方向にしたときの撓み量が少ない材質が好ましい。滑り止め付タオル１を身体４に巻き付けたときに、身体４に痛さを感じにくいし、かつ突起物３の上端部に外側Ｓから斜め下方向からの引っ張り力を受けたときに、タオル本体２と身体４とにより挟圧された突起物３の下端部が、突起物３を固設されたタオル本体２のすぐ外側Ｓのタオル本体２の上端を支点にして、突起物３の上端部が受けた外側Ｓ方向とは反対方向である内側Ｕに向けた力が伝達されるが挟圧によってしっかりと把持されて突起物３の上端部が斜め下方向に移動する動きを抑止できるからである。
【００３７】
したがって、前記突起物３の材質や形態としては、材質が綿などの植物繊維又はアクリルやポリプロピレンなどの合成繊維の場合は複数の布地を積層させて剛性を有するようにした形態、材質がフェルトの場合は１層で柱体を形成させた形態、材質がゴムの場合は高さが低い平板状に近い形態、材質がスポンジ又はシリコンの場合は硬めの材質を選択し１層で柱体を形成させた形態があり、押圧によって身体に痛さが感じにくく、かつ突起物３単体を空間中で水平方向にしたときの撓み量が少ないようにするための材質と形態の組み合わせであるのが好ましい。
【００３８】
次に、前記突起物３のタオル本体２又は身体４との接触面の表面の形態は、平面状態を形成させており、その平面部の表面粗さ又は表面形状は限定しなくとも、突起物３を有しないタオルに比較して接触抵抗を高くし静止摩擦力を高めることができる。好ましくは、円滑なツルツルな面で接触抵抗が小さくなる面よりも、凹凸面、繊維からなる面、小さい突起を多数配設した面、波形状など高い接触抵抗が得られやすい面から形成されるようにする。突起物３とタオル本体２、又は突起物３と身体４が強く密着するほど突起物３が当接する範囲の接触抵抗が大きくなり静止摩擦力が高まるので、滑り止め付タオル１が身体４からより一層ずれ落ちにくくなる。
【００３９】
次に、タオル本体２と突起物３とを組みわせた滑り止め付タオル１について説明する。柱状部を有する突起物３は、タオル本体２の上端部の右端又は左端の、内側及び／又は外側に固設されている。まず、身体４に巻いた滑り止め付タオル１がずれ落ちにくい説明をする。
【００４０】
突起物３へ加わる押圧は、図９乃至図１１に示すように、滑り止め付タオル１を身体４にしっかりと締めることによって外側Ｓから内側Ｕに働く力である押圧Ｐ１と、滑り止め付タオル１によって締め付けられた身体４の皮膚面が締め付けられていない状態に戻ろうとすることによって内側Ｕから外側Ｓに働く力である押圧Ｐ２との相反しかつ突起物３を介して対向する面に生ずる２つの圧力である。そして、外側Ｓから内側Ｕの押圧Ｐ１と内側Ｕから外側Ｓの押圧Ｐ２の相反方向の押圧によって、タオル本体２間に挟まれた突起物３、及び／又は、タオル本体２と身体４との間に挟まれた突起物３、並びにタオル本体２がそれぞれ押圧によって圧縮され、突起物３とタオル本体２との接触面、又は突起物３と身体４の皮膚との接触面において、滑り止め付タオル１が滑り落ちようとする運動を抑止する力である静止摩擦力を増大させる効果があり、押止具のような効果を奏して、滑り止め付タオル１をより一層ずれ落ちにくくするという効果を奏する。
【００４１】
次に、身体４に巻いた滑り止め付タオル１の外側Ｓの裾を引っ張り下げるように引っ張ってもずれ落ちにくい説明を図１３乃至図１６で説明する。本発明である滑り止め付タオル１を図１３及び図１４に示し、突起物３を有さない一般的なタオル８を図１５及び図１６に示す。
【００４２】
滑り止め付タオル１又はタオル８に引っ張り下げる力Ｈを加えると、タオル８の場合は図１６に示すようにタオル８は容易に解けてしまうが、滑り止め付タオル１の場合は図１４に示すように突起物３が抵抗体となって引っ張り下げる動きを抑止させるので滑り止め付タオル１は解けない。
【００４３】
身体４と、内側Ｕのタオル本体２又は内側Ｕのタオル８との間に挟入された、タオル本体２又はタオル８を、外側Ｓのタオル本体２又は外側Ｓのタオル８に加えた引っ張り下げる力Ｈによって斜め下方に抜き取るためには、内側Ｕのタオル本体２又は内側Ｕのタオル８の上端の位置Ｔの箇所において、タオル本体２又はタオル８が略Ｕ字状になるように、引っ張られながらなめらかに曲がることが必要である。
【００４４】
突起物３を有さないタオル８の場合はタオル布地しかないため引っ張られながらなめらかに略Ｕ字状に曲がるため、タオル８は容易に解けてしまう。一方、本発明である滑り止め付タオル１の場合は、突起物３の上端部の斜め下方向から外側Ｓに向かっての引っ張りに対して、突起物３を固設した、折り返したタオル本体２のすぐ外側のタオル本体２の上端を支点として前記突起物３の下端部に生じた内側Ｕ方向の力をタオル本体３及び身体４等による挟圧によって、突起物３の挟着状態が維持されることになり、前記下端部の内側方向の動きを抑止させることが上端部の外側方向への動きを抑止することになって、滑り止め付タオル１は外側Ｓのタオル本体２の裾を引っ張り下げる力を受けても解けにくいという効果を奏する。
【００４５】
次に、本発明である滑り止め付タオル１を、図４や図５に示すように、身体に巻き付ける手順について説明する。まず、図６や図８に示すように、タオル本体２の前記突起物３を固設した側が外側Ｓになるように前記タオル本体２を身体４に巻きつける。
【００４６】
次に、図７、図９、図１０に示すように、前記外側Ｓとなったタオル本体２の前記突起物３を固設した部分を、前記内側Ｕのタオル本体２の上端を飛び越して身体４側に折り返して、さらに強く締め付けるときには、図７や図１２に示すように、前記飛び越された内側Ｕのタオル本体２の上端部の横方向の端部を前記突起物３が縫着された方向とは逆の方向に強く引っ張り上げる。
【００４７】
これにより、図９乃至図１１に示すように、締め付けられたタオル本体２による内側Ｕ方向への力（押圧Ｐ１）と締め付けられた身体４による外側Ｓ方向への力（押圧Ｐ２）により前記突起物３が挟圧され圧縮されることによって、かつタオル本体２が強く締め付けられることによって、前記突起物３を固設した範囲において、タオル本体２、突起物３及び身体４との間における静止摩擦力を増加させ、前記範囲が押止具のようになって身体４から滑り止め付タオル１がずれ落ちにくくなる。
【００４８】
したがって、脱衣場と浴場との間の移動時、脱衣場、エステサロン、サウナ風呂又は水泳時の着替え等において、本発明である滑り止め付タオル１を身体４に巻きつけることにより、タオル本体２の布地の種類にかかわらず滑り止め付タオル１を身体からずれ落ちにくくさせることができる。
【００４９】
次に、本発明である滑り止め付タオル１の風呂場における使用例を説明するが、本発明である滑り止め付タオル１は該使用例に限定されるものではない。本発明の滑り止め付タオル１として、布地はポリアミド系繊維からなる１枚ものの布地からつくられており、大きさは縦方向の長さが身体４の胸部から臀部が覆い隠れるまでの長さを有し、横方向の長さが身体４の胴回りを一回り分プラス約１５センチ分を巻くことができる長さを有する四角形状のタオル本体２と、前記タオル本体２の片側上端部に内側及び外側の両側に逢製により固設した、材料はフェルト製からなり、大きさは直径約４ｃｍ、高さが２ｃｍで、形態が円柱型である突起物３とを備えた滑り止め付タオル１を使用した。
【００５０】
脱衣場で衣服を脱いだ後、滑り止め付タオル１で身体４の胸部から臀部までを覆い隠すように身体４に巻き付ける。このとき、突起物３が存する側が身体４の前側で重なって二重に巻いたときに外側Ｓになるように身体４に巻き付ける。そして、該突起物３が縫着された外側Ｓのタオル本体２の上端部を内側Ｕのタオル本体２の上端部を飛び越して身体４側に折り返し、その後前記内側Ｕであったタオル本体２の端の上端部を上方にかつ前記突起物３とは左右方向で反対側に引っ張り上げる。これによって、滑り止め付タオル１が身体４にしっかりと強く密着する。次に、滑り止め付タオル１を身体４に巻きつけた状態で脱衣場から浴場に行く。
【００５１】
浴場に着いたら、滑り止め付タオル１の突起物３周辺の折り返した箇所を垂直方向に上に上げ外側Ｓに戻すことにより一瞬に解くことができ、滑り止め付タオル１に石鹸を付けて身体４をこすり、その後滑り止め付タオル１に付いた石鹸を洗い流して絞る。縦方向の長さが身体４の胸部から臀部が覆い隠れるまでの長さを有し、横方向の長さが身体４の胴回りを少なくとも一回り分を巻くことができる長さを有する四角形状の大きさでありながら、手で滑り止め付タオル１を絞ることができ、泡立ちがよく、身体４をこすり易い。
【００５２】
身体４を洗い終わって湯船に浸かるときは頭に巻き付けることもできる。そして、湯船から出たら、吸水性がよく水切り性もよいので、身体４を滑り止め付タオル１で拭いて、滑り止め付タオル１で身体４の胸部から臀部までを覆い隠すように身体４に巻き付ける。このとき、突起物３が存する側が身体４の前側で重なって二重に巻いたときに外側Ｓになるように身体４に巻き付ける。そして、該突起物３が縫着された外側Ｓのタオル本体２の上端部を内側Ｕのタオル本体２の上端部を飛び越して身体４側に折り返し、その後前記内側Ｕであったタオル本体２の端の上端部を上方にかつ前記突起物３とは左右方向で反対側に引っ張り上げる。その後、浴場から出て脱衣場に行く。水切りがよいので、滑り止め付タオル１をお湯に浸けた後も身体４に巻きつけても水分をあまり含んでいないので滑り止め付タオル１自体の重量で巻きつけた滑り止め付タオル１がずれ落ちやすくなることはない。
【符号の説明】
【００５３】
１        滑り止め付タオル
２        タオル本体
３        突起物
４        身体
８        タオル
Ｐ１      押圧
Ｐ２      押圧
Ｕ        内側
Ｓ        外側
【要約】      （修正有）【課題】身体を洗う、拭く、身体からずれ落ちにくいという３つの目的を兼ね備えたタオルを提供する。【解決手段】滑り止め付タオル１は、タオル本体２と、タオル本体２の上端部の右端又は左端の、内側及び／又は外側に固設された柱状の突起物３とを備え、タオル本体２の突起物３を固設した側が外側になるようにタオル本体２を身体に巻きつけ、外側となったタオル本体２の突起物３を固設した部分を、内側のタオル本体２の上端を飛び越して身体側に折り返すことにより、締め付けられたタオル本体２による内側方向への力と締め付けられた身体による外側方向への力により突起物３が挟圧されて、滑り止め付タオル１がずれ落ちにくくなる。【選択図】図１【図１】
0005400242.tif 000002
【図２】
0005400242.tif 000003
【図３】
0005400242.tif 000004
【図４】
0005400242.tif 000005
【図５】
0005400242.tif 000006
【図６】
0005400242.tif 000007
【図７】
0005400242.tif 000008
【図８】
0005400242.tif 000009
【図９】
0005400242.tif 000010
【図１０】
0005400242.tif 000011
【図１１】
0005400242.tif 000012
【図１２】
0005400242.tif 000013
【図１３】
0005400242.tif 000014
【図１４】
0005400242.tif 000015
【図１５】
0005400242.tif 000016
【図１６】
0005400242.tif 000017
【図１７】
0005400242.tif 000018
【図１８】
0005400242.tif 000019
【図１９】
0005400242.tif 000020